(57)【要約】【課題】水平ＣＣＤを左右に２分割して撮像画像信号を左右に分割して固体撮像素子から読み出し、左右の画像を貼り合わせたとき中央の境界線部分が目立たないようにする。【解決手段】水平ＣＣＤを左右に第１，第２ＣＣＤ１０３Ｌ，１０３Ｒとして分割すると共に、両者間に短い長さの第３水平ＣＣＤ１０３Ｃを設け、この第３ＣＣＤ１０３Ｃの信号電荷（図示する例では４画素分）を、第１ＣＣＤ１０３Ｌ，第２ＣＣＤ１０３Ｒに交互に転送することで、境界部分の画像信号が、交互（ジグザク）配置される。これにより、境界部分の明暗差等の段差が目立たなくなり、画像の品質が向上する。【選択図】図４
2008131245.tif 000002
【特許請求の範囲】
【請求項１】
半導体基板の撮像領域に二次元アレイ状に配列形成された複数の光電変換素子と、
各光電変換素子が受光量に応じて検出した信号電荷の各電荷量に応じた電圧値信号を撮像画像信号として出力する第１出力回路及び第２出力回路と、
前記撮像領域中の第１領域に設けられた前記光電変換素子の前記信号電荷を受け取り前記第１出力回路に転送する第１ＣＣＤと、
前記撮像領域中の第２領域に設けられた前記光電変換素子の前記信号電荷を受け取り前記第２出力回路に転送する第２ＣＣＤと、
前記第１領域と前記第２領域との間に挟まれる第３領域に設けられた前記光電変換素子の前記信号電荷を受け取り前記第１ＣＣＤまたは前記第２ＣＣＤに転送する第３ＣＣＤであって、該３領域の撮像画像信号のうち前記第１出力回路から出力される第１撮像画像信号と前記第２出力回路から出力される第２撮像画像信号とが該第１，第２撮像画像信号間の境界に沿って所定パターンで交互配置されるように転送駆動される第３ＣＣＤと
を備えることを特徴とする固体撮像素子。
【請求項２】
前記第１，第２，第３ＣＣＤが水平ＣＣＤおよび／または垂直ＣＣＤであることを特徴とする請求項１に記載の固体撮像素子。
【請求項３】
半導体基板の撮像領域に二次元アレイ状に配列形成された複数の光電変換素子と、各光電変換素子が受光量に応じて検出した信号電荷の各電荷量に応じた電圧値信号を撮像画像信号として出力する第１出力回路及び第２出力回路と、前記撮像領域中の第１領域に設けられた前記光電変換素子の前記信号電荷を受け取り前記第１出力回路に転送する第１ＣＣＤと、前記撮像領域中の第２領域に設けられた前記光電変換素子の前記信号電荷を受け取り前記第２出力回路に転送する第２ＣＣＤと、前記第１領域と前記第２領域との間に挟まれる第３領域に設けられた前記光電変換素子の前記信号電荷を受け取り前記第１ＣＣＤまたは前記第２ＣＣＤに転送する第３ＣＣＤとを備える固体撮像素子の駆動方法であって、前記３領域の撮像画像信号のうち前記第１出力回路から出力される第１撮像画像信号と前記第２出力回路から出力される第２撮像画像信号とが該第１，第２撮像画像信号間の境界に沿って所定パターンで交互配置されるように前記第３ＣＣＤが転送駆動されることを特徴とする固体撮像素子の駆動方法。
【請求項４】
前記第１，第２，第３ＣＣＤが水平ＣＣＤおよび／または垂直ＣＣＤであることを特徴とする請求項３に記載の固体撮像素子の駆動方法。
【請求項５】
半導体基板の撮像領域に二次元アレイ状に配列形成された複数の光電変換素子と、各光電変換素子が受光量に応じて検出した信号電荷の各電荷量に応じた電圧値信号を撮像画像信号として出力する第１出力回路及び第２出力回路と、前記撮像領域中の第１領域に設けられた前記光電変換素子の前記信号電荷を受け取り前記第１出力回路に転送する第１ＣＣＤと、前記撮像領域中の第２領域に設けられた前記光電変換素子の前記信号電荷を受け取り前記第２出力回路に転送する第２ＣＣＤと、前記第１領域と前記第２領域との間に挟まれる第３領域に設けられた前記光電変換素子の前記信号電荷を受け取り前記第１ＣＣＤまたは前記第２ＣＣＤに転送する第３ＣＣＤとを備える固体撮像素子と、前記３領域の撮像画像信号のうち前記第１出力回路から出力される第１撮像画像信号と前記第２出力回路から出力される第２撮像画像信号とが該第１，第２撮像画像信号間の境界に沿って所定パターンで交互配置されるように前記第３ＣＣＤを転送駆動する駆動手段とを備えることを特徴とする撮像装置。
【請求項６】
前記第１，第２，第３ＣＣＤが水平ＣＣＤおよび／または垂直ＣＣＤであることを特徴とする請求項５に記載の撮像装置。
【発明の詳細な説明】
【技術分野】
【０００１】
本発明はＣＣＤ（電荷結合素子：Charge Coupled Devices）型の固体撮像素子及びその駆動方法並びに撮像装置に係り、特に、ＣＣＤで転送する信号電荷を左右または上下に２分割して転送しフレームレートの向上を図ることができる固体撮像素子及びその駆動方法並びに撮像装置に関する。
【背景技術】
【０００２】
ＣＣＤ型固体撮像素子で被写体画像を撮像する場合、各画素（フォトダイオード：光電変換素子）が受光量に応じて蓄積した信号電荷を垂直ＣＣＤに読み出し、これを垂直ＣＣＤに沿って水平ＣＣＤまで転送し、次に水平ＣＣＤに沿って転送し、水平ＣＣＤの出力端部に設けられたアンプが各信号電荷量に応じた電圧値信号を画像データとして出力する。
【０００３】
近年のＣＣＤ型固体撮像素子は、半導体微細加工技術の進展により数百万画素以上を搭載するのが普通になっており、それだけ固体撮像素子の駆動周波数、特に水平ＣＣＤの駆動周波数をより高速化しないと、撮像画像データを固体撮像素子から読み出すことが困難になってきている。例えば、連続する複数の静止画像を連写機能で撮像する場合、画素数が多い固体撮像素子では連写速度を速くするのが困難になってきている。
【０００４】
そこで、図１５に示す様に、水平ＣＣＤを左右に分割して設け、受光面左半分１Ｌのフォトダイオード２Ｌが検出し垂直ＣＣＤ３Ｌが転送してきた信号電荷は左側水平ＣＣＤ４Ｌが左方向に転送して出力アンプ５Ｌが画像データを読み出し、受光面右半分１Ｒのフォトダイオード２Ｒが検出し垂直ＣＣＤ３Ｒが転送してきた信号電荷は右側水平ＣＣＤ４Ｒが右方向に転送して出力アンプ５Ｒが画像データを読み出す固体撮像素子が提案されている（例えば、下記特許文献１参照）。
【０００５】
【特許文献１】特開２００４―１７２２６７号公報
【発明の開示】
【発明が解決しようとする課題】
【０００６】
斯かる固体撮像素子では、水平ＣＣＤの長さが半分となっているため、それだけ高速に画像データを読み出すことができるという利点がある。しかし、同じ半導体チップ上に同一構造の出力アンプ５Ｌ，５Ｒを製造しても、その特性を全く同一に製造するのは困難である。このため、図１６に示す様に、出力アンプ５Ｌから出力された左側画像データ６Ｌと、出力アンプ５Ｒから出力された右側画像データ６Ｒとを貼り合わせても、中央の直線境界部に、出力アンプ５Ｌ，５Ｒの特性差が画像データ６Ｌ，６Ｒのレベル差として現れてしまい、画質が劣化するという問題が生じる。
【０００７】
本発明の目的は、１枚の画像データを２つのＣＣＤで分けて出力しても境界部分の画像データの特性差が目立たない固体撮像素子及びその駆動方法並びに撮像装置を提供することにある。
【課題を解決するための手段】
【０００８】
本発明の固体撮像素子は、半導体基板の撮像領域に二次元アレイ状に配列形成された複数の光電変換素子と、
各光電変換素子が受光量に応じて検出した信号電荷の各電荷量に応じた電圧値信号を撮像画像信号として出力する第１出力回路及び第２出力回路と、
前記撮像領域中の第１領域に設けられた前記光電変換素子の前記信号電荷を受け取り前記第１出力回路に転送する第１ＣＣＤと、
前記撮像領域中の第２領域に設けられた前記光電変換素子の前記信号電荷を受け取り前記第２出力回路に転送する第２ＣＣＤと、
前記第１領域と前記第２領域との間に挟まれる第３領域に設けられた前記光電変換素子の前記信号電荷を受け取り前記第１ＣＣＤまたは前記第２ＣＣＤに転送する第３ＣＣＤであって、該３領域の撮像画像信号のうち前記第１出力回路から出力される第１撮像画像信号と前記第２出力回路から出力される第２撮像画像信号とが該第１，第２撮像画像信号間の境界に沿って所定パターンで交互配置されるように転送駆動される第３ＣＣＤと
を備えることを特徴とする。
【０００９】
本発明の固体撮像素子の駆動方法は、半導体基板の撮像領域に二次元アレイ状に配列形成された複数の光電変換素子と、各光電変換素子が受光量に応じて検出した信号電荷の各電荷量に応じた電圧値信号を撮像画像信号として出力する第１出力回路及び第２出力回路と、前記撮像領域中の第１領域に設けられた前記光電変換素子の前記信号電荷を受け取り前記第１出力回路に転送する第１ＣＣＤと、前記撮像領域中の第２領域に設けられた前記光電変換素子の前記信号電荷を受け取り前記第２出力回路に転送する第２ＣＣＤと、前記第１領域と前記第２領域との間に挟まれる第３領域に設けられた前記光電変換素子の前記信号電荷を受け取り前記第１ＣＣＤまたは前記第２ＣＣＤに転送する第３ＣＣＤとを備える固体撮像素子の駆動方法であって、前記３領域の撮像画像信号のうち前記第１出力回路から出力される第１撮像画像信号と前記第２出力回路から出力される第２撮像画像信号とが該第１，第２撮像画像信号間の境界に沿って所定パターンで交互配置されるように前記第３ＣＣＤが転送駆動されることを特徴とする。
【００１０】
本発明の撮像装置は、半導体基板の撮像領域に二次元アレイ状に配列形成された複数の光電変換素子と、各光電変換素子が受光量に応じて検出した信号電荷の各電荷量に応じた電圧値信号を撮像画像信号として出力する第１出力回路及び第２出力回路と、前記撮像領域中の第１領域に設けられた前記光電変換素子の前記信号電荷を受け取り前記第１出力回路に転送する第１ＣＣＤと、前記撮像領域中の第２領域に設けられた前記光電変換素子の前記信号電荷を受け取り前記第２出力回路に転送する第２ＣＣＤと、前記第１領域と前記第２領域との間に挟まれる第３領域に設けられた前記光電変換素子の前記信号電荷を受け取り前記第１ＣＣＤまたは前記第２ＣＣＤに転送する第３ＣＣＤとを備える固体撮像素子と、前記３領域の撮像画像信号のうち前記第１出力回路から出力される第１撮像画像信号と前記第２出力回路から出力される第２撮像画像信号とが該第１，第２撮像画像信号間の境界に沿って所定パターンで交互配置されるように前記第３ＣＣＤを転送駆動する駆動手段とを備えることを特徴とする。
【００１１】
上記において、前記第１，第２，第３ＣＣＤは、水平ＣＣＤおよび／または垂直ＣＣＤである。
【発明の効果】
【００１２】
本発明によれば、第１出力回路から出力される第１撮像画像信号と、第２出力回路から出力される第２撮像画像信号とが、貼り合わせ境界部分で所定パターンのジグザク形状となるため、境界部分の段差が目立たなくなり、画像品質の劣化が抑制される。
【発明を実施するための最良の形態】
【００１３】
以下、本発明の一実施形態について、図面を参照して説明する。
【００１４】
図１は、本発明の一実施形態に係るデジタルカメラの機能ブロック構成図である。このデジタルカメラは、撮像部２１と、撮像部２１から出力されるアナログの画像データを自動利得調整（ＡＧＣ）や相関二重サンプリング処理等のアナログ処理するアナログ信号処理部２２と、アナログ信号処理部２２から出力されるアナログ画像データをデジタル画像データに変換するアナログデジタル変換部（Ａ／Ｄ）２３と、後述のシステム制御部（ＣＰＵ）２９からの指示によってＡ／Ｄ２３，アナログ信号処理部２２，撮像部２１の駆動制御を行う駆動部（タイミングジェネレータＴＧを含む）２４と、ＣＰＵ２９からの指示によって発光するフラッシュ２５とを備える。
【００１５】
撮像部２１は、被写界からの光を集光する光学レンズ系２１ａと、該光学レンズ系２１ａを通った光を絞る絞りやメカニカルシャッタ２１ｂと、光学レンズ系２１ａによって集光され絞りによって絞られた光を受光し撮像画像データ（アナログ画像データ）を出力するＣＣＤ型固体撮像素子１００とを備える。
【００１６】
本実施形態のデジタルカメラは更に、Ａ／Ｄ２３から出力されるデジタル画像データを取り込み補間処理やホワイトバランス補正，ＲＧＢ／ＹＣ変換処理等を行うデジタル信号処理部２６と、画像データをＪＰＥＧ形式などの画像データに圧縮したり逆に伸長したりする圧縮／伸長処理部２７と、メニューなどを表示したりスルー画像や撮像画像を表示する表示部２８と、デジタルカメラ全体を統括制御するシステム制御部（ＣＰＵ）２９と、フレームメモリ等の内部メモリ３０と、ＪＰＥＧ画像データ等を格納する記録メディア３２との間のインタフェース処理を行うメディアインタフェース（Ｉ／Ｆ）部３１と、これらを相互に接続するバス４０とを備え、また、システム制御部２９には、ユーザからの指示入力を行う操作部２３が接続されている。
【００１７】
図２は、図１に示す固体撮像素子１００の平面模式図である。図示する例の固体撮像素子１００は、半導体基板の表面に二次元アレイ状に配列形成された複数の画素（光電変換素子）１０１と、各画素列の側部に垂直方向に形成された垂直ＣＣＤ（垂直電荷転送路（ＶＣＣＤ））１０２と、各垂直ＣＣＤ１０２の転送端部に沿って設けられた水平ＣＣＤ（水平電荷転送路（ＨＣＣＤ））１０３と、水平ＣＣＤ１０３の左端部に設けられた第１出力アンプ１０４と、水平ＣＣＤ１０３の右端部に設けられた第２出力アンプ１０５とを備える。
【００１８】
水平ＣＣＤ１０３は、受光面の略左半分（第１領域）に設けられた各画素１０１の検出電荷（信号電荷）を垂直ＣＣＤ１０２を介して受け取り左方向に転送する第１水平ＣＣＤ１０３Ｌと、受光面の略右半分（第２領域）に設けられた各画素１０１の信号電荷を垂直ＣＣＤ１０２を介して受け取り右方向に転送する第２水平ＣＣＤ１０３Ｒと、両水平ＣＣＤ１０３Ｌ，１０３Ｒの間に介挿された第３水平ＣＣＤ１０３Ｃとで構成される。
【００１９】
第３水平ＣＣＤ１０３Ｃは、本実施形態では、第１領域と第２領域との間に挟まれる水平方向数画素分の幅の第３領域の信号電荷の転送を受ける長さに形成されており、図３に示す様に、受け取った１行数画素分の信号電荷を、左方向に転送して第１水平ＣＣＤ１０３Ｌに渡し、あるいは、右方向に転送して第２水平ＣＣＤ１０３Ｒに渡すことができる転送構造になっている。
【００２０】
あるいは、この数画素分が４画素分であるとすると、４画素分の信号電荷を最初は左方向に転送してそのうち３画素分の信号電荷を第１水平ＣＣＤ１０３Ｌに渡した後、残り１画素分の信号電荷を右方向に転送して第２水平ＣＣＤ１０３Ｒに渡すことができる転送構造になっている。
【００２１】
第３水平ＣＣＤ１０３Ｃによって水平方向に転送される信号電荷を、右方向／左方向に転送することで、図４〜図７に示す様に、出力アンプ１０４から出力される画像データ（白丸）と、出力アンプ１０５から出力される画像データ（ハッチングした丸：以下、黒丸という。）とを交互に所定パターンで入れ替えることが可能となる。
【００２２】
図４では、境界部分の４画素分の幅の画像データを、一行置きに、白丸データと黒丸データにしている。図５では、白丸データと、黒丸データとを２行づつ交互に配列している。図６では、中央の一画素分のデータを１つづつ白丸データと黒丸データとしている。図７では、４画素幅の部分の画像データを、三角パターンで白丸データとしたり黒丸データとしている。
【００２３】
このように、境界部分の画像データを、白丸データ（アンプ１０４の出力データ）と黒丸データ（アンプ１０５の出力データ）の交互配置とすることで、境界が垂直方向に直線ではなくジグザグとなり、両アンプ１０４，１０５の特性差に基づく撮像画像の右半分と左半分の明暗等の段差が不明瞭となり、画質劣化を抑制することが可能となる。
【００２４】
以下、撮像画像の右半分と左半分との境界が垂直方向にジグザクとなるように撮像画像信号を読み出す構成について説明する。
【００２５】
図８は、水平ＣＣＤ１０３のうち、第３水平ＣＣＤ１０３Ｃ周りの固体撮像素子１００の平面図であり、図９（ａ）は、その断面模式図である。垂直ＣＣＤ１０２には、垂直転送パルスＶ１，Ｖ２，Ｖ３，Ｖ４を印加する電極膜１０２ａ，１０２ｂ，１０２ｃ，１０２ｄ，…が半導体基板表面部に形成された埋め込みチャネルの上にゲート絶縁膜を介して積層されている。
【００２６】
水平ＣＣＤ１０３の転送電極膜１０３ａ，１０３ｂ，１０３ａ，…は、図９（ａ）に示す様に、転送方向に沿って高濃度層と低濃度層が交互に設けられたｎ型不純物層でなる埋め込みチャネル１０７上にゲート絶縁膜１０８を介して積層されている。
【００２７】
水平電荷転送電極膜１０３ｘ，１０３ｙは転送方向に交互に設けられた２層構造でなり、１層目の電極膜１０３ｙは上記高濃度層の上に設けられ、２層目の電極膜１０３ｘは上記低濃度層の上に設けられる。そして、第１，第２水平ＣＣＤ１０３Ｌ，１０３Ｒでは、隣接する電極膜１０３ｘ，１０３ｙが一組となって同一パルスが印加され、転送方向に連続する各組電極膜に転送パルスφＨ１と、このφＨ１と逆位相の転送パルスφＨ２とが交互に印加される構成になっている。この構造自体は従来から周知の水平ＣＣＤと同じである。
【００２８】
本実施形態の水平ＣＣＤ１０３では、第１水平ＣＣＤ１０３Ｌは、信号電荷を左側に転送する様に電極膜１０３ｘ，１０３ｙに２相パルスφＨ１，φＨ２が印加され、第２水平ＣＣＤ１０３Ｒは、信号電荷を右側に転送する様に電極膜１０３ｘ，１０３ｙに２相パルスφＨ１，φＨ２が印加される。
【００２９】
そして、第３水平ＣＣＤ１０３Ｃでは、転送方向に並ぶ１層目の転送電極膜１０３ｙに後述の２相パルスφＨ４，φＨ３が交互に印加され、２層目の転送電極膜１０３ｘに、上記転送パルスφＨ１，φＨ２が交互に印加される構成になっている。
【００３０】
図９（ｂ）は、第３水平ＣＣＤ１０３Ｃの信号電荷を、第２水平ＣＣＤ１０３Ｒ側に転送するときの転送パルスを示し、φＨ１＝φＨ３、φＨ２＝φＨ４としている。これにより、垂直ＣＣＤ１０２から第３水平ＣＣＤ１０３Ｃに取り込まれた信号電荷は、図９（ｃ）に示す様に、第２水平ＣＣＤ１０３Ｒの方向に転送されて第２水平ＣＣＤ１０３Ｒに渡され、図２の出力回路１０５から出力される。
【００３１】
図１０（ｂ）は、第３水平ＣＣＤ１０３Ｃの信号電荷を、第１水平ＣＣＤ１０３Ｌ側に転送するときの転送パルスを示し、φＨ１＝φＨ４、φＨ２＝φＨ３としている。これにより、垂直ＣＣＤ１０２から第３水平ＣＣＤ１０３Ｃに取り込まれた信号電荷は、図１０（ｃ）に示す様に、第１水平ＣＣＤ１０３Ｌの方向に転送されて第１水平ＣＣＤ１０３Ｌに渡され、図２の出力回路１０４から出力される。
【００３２】
図９（ｂ），図１０（ｂ）のいずれの転送パルスを第３水平ＣＣＤ１０３Ｃに印加するかは、図１に示すシステム制御部２９が制御して駆動部２４に指令を出し、また、システム制御部２９は、第３水平ＣＣＤ１０３Ｃに垂直ＣＣＤ１０２から取り込まれた信号電荷に基づく画像信号が、出力回路１０４，１０５のどちらから出力されるかをデジタル信号処理部２６に通知する。
【００３３】
デジタル信号処理部２６は、この通知に従い、出力回路１０４，１０５の出力データを取り込んで画像処理し、出力回路１０４から取り込み画像処理した画像データと、出力回路１０５から取り込み画像処理した画像データとを、例えば図４，図５の様に左右を貼り合わせて１枚の撮像画像を再生する。
【００３４】
図８，図９，図１０の実施形態では、第３水平ＣＣＤ１０３Ｃ内の信号電荷を全て、第１水平ＣＣＤ１０３Ｌまたは第２水平ＣＣＤ１０３Ｒに転送してしまい、図４，図５を実現している。
【００３５】
しかし、例えば、第３水平ＣＣＤ１０３Ｃ内の信号電荷が４画素分であるとしたとき、これ４つの信号電荷を最初は第１水平ＣＣＤ１０３Ｌの方向に転送して３画素分の信号電荷が第１水平ＣＣＤ１０３Ｌ内に入った後、第３水平ＣＣＤ１０３Ｃの転送方向を逆転させれば、残りの１つの信号電荷を第２水平ＣＣＤ１０３Ｒに渡すことが可能となる。この様な、第３水平ＣＣＤ１０３Ｃの転送パルスの制御をきめ細かく行うことで、図６，図７の状態を実現することができる。
【００３６】
図１１は、本発明の別実施形態に係る固体撮像素子の第３水平ＣＣＤ周りの平面図である。本実施形態の固体撮像素子では、垂直ＣＣＤ１０２の転送端部と水平ＣＣＤ１０３との境界部分に、例えば特開２００２―１１２１１９号公報に記載されている様なラインメモリ（ＬＭ）を設けている点が図８，図９の実施形態と異なる他、第３水平ＣＣＤ１０３Ｃの転送電極の組が１組少なく、第３水平ＣＣＤ１０３Ｃの長さが短くなってる。
【００３７】
また、第１水平ＣＣＤ１０３Ｌの第３水平ＣＣＤ１０３Ｃ側端部の電極１０３ｘ，１０３ｙの組に転送パルレスφＨ１が印加される構造になっている点が図８，図９の実施形態と異なる。
【００３８】
第１水平ＣＣＤ１０３Ｌの第３水平ＣＣＤ１０３Ｃ側端部の電極対１０３ｘ，１０３ｙに転送パルスφＨ１が印加され、第３水平ＣＣＤ１０３Ｃの第１水平ＣＣＤ１０３Ｌ側端部の第１層電極１０３ｙに転送パルスφＨ４が印加され、φＨ１＝φＨ４、φＨ２＝φＨ３とすると、図１２（ｃ）に示す様に、第１水平ＣＣＤ１０３Ｌと第３水平ＣＣＤ１０３Ｃとの境界部分にラインメモリ（ＬＭ）から移された信号電荷が、両ＣＣＤ１０３Ｌ，１０３Ｃの各電位パケット内に分離して取り込まれてしまう。
【００３９】
そこで、本実施形態では、図１２（ｂ）に示す様に、転送パルスφＨ４として、転送パルスφＨ１に較べ１パルス分だけ先行してパルスを送り、上記の分離した信号電荷を１つに纏めている。以後は、上述した実施形態と同様にして信号電荷の転送を行う。
【００４０】
図１３（ａ）（ｂ）（ｃ）は、図１１，図１２に示す実施形態における第３水平ＣＣＤ１０３Ｃにおける信号電荷の転送の様子を示す図である。同図（ａ）は、第３水平ＣＣＤ１０３Ｃ内の信号電荷を右方向（第２水平ＣＣＤ１０３Ｒ方向）に転送する様子を、同図（ｂ）は、第３，第２水平ＣＣＤ間で分離した信号電荷を１つに纏めてから転送する様子を、同図（ｃ）は、第３水平ＣＣＤ１０３Ｃ内の信号電荷を左方向（第１水平ＣＣＤ１０３Ｌ方向）に転送する様子を示す。
【００４１】
図１４は、本発明の別実施形態に係る固体撮像素子の説明図である。上述した各実施形態では、水平ＣＣＤを左右に分割し、中央に設けた共通部分の第３水平ＣＣＤで、左右の撮像画像の貼り合わせ境界部分をジグザクにしている。
【００４２】
これに対し、本実施形態の固体撮像素子では、各垂直ＣＣＤを夫々上下の第１，第２垂直ＣＣＤ（ＶＣＣＤ）１１１，１１２に分割し、第１垂直ＣＣＤ１１１で下方向に転送されてきた信号電荷を下辺部に設けた第１水平ＣＣＤ１１３で出力アンプ１１４に転送し、第２垂直ＣＣＤ１１２で上方向に転送されてきた信号電荷を上辺部に設けた第２水平ＣＣＤ１１５で出力アンプ１１６に転送する構成とし、第１垂直ＣＣＤ１１１と第２垂直ＣＣＤ１１２との中間に設けた共通部分の第３垂直ＣＣＤ１１７により上方向または下方向に数画素分の信号電荷を転送することで、撮像画像の上下貼り合わせ境界部分をジグザクにすることができ、上記と同様の効果を得ることができる。
【００４３】
尚、図１４の実施形態において、第１，第２水平ＣＣＤ１１３，１１５も、図２に示す様に、３つの水平ＣＣＤに分割する構成とすることも可能である。
【産業上の利用可能性】
【００４４】
本発明に係る固体撮像素子及びその駆動方法並びに撮像装置は、高フレームレートで撮像画像を固体撮像素子から読み出すことが可能になると共に撮像画像の貼り合わせ境界部分の明暗差等が不明瞭となって画質劣化が抑制されるため、数百何画素以上を有する固体撮像素子を搭載したデジタルカメラ等に適用すると有用である。
【図面の簡単な説明】
【００４５】
【図１】本発明の一実施形態に係るデジタルカメラの機能ブロック構成図である。
【図２】図１に示す固体撮像素子の表面模式図である。
【図３】図２に示す固体撮像素子の駆動説明図である。
【図４】図２に示す固体撮像素子から読み出した撮像画像の一例の説明図である。
【図５】図２に示す固体撮像素子から読み出した撮像画像の別の一例の説明図である。
【図６】図２に示す固体撮像素子から読み出した撮像画像の別の一例の説明図である。
【図７】図２に示す固体撮像素子から読み出した撮像画像の別の一例の説明図である。
【図８】図２に示す固体撮像素子の第３水平ＣＣＤ周りの平面図である。
【図９】図８に示す第３水平ＣＣＤの信号電荷を右方向に転送する様子を示す図である。
【図１０】図８に示す第３水平ＣＣＤの信号電荷を左方向に転送する様子を示す図である。
【図１１】本発明の別実施形態に係る固体撮像素子の第３水平ＣＣＤ周りの平面図である。
【図１２】図１１に示す水平ＣＣＤの駆動説明図である。
【図１３】図１１に示す第３水平ＣＣＤによる信号電荷の転送の様子を示す図である。
【図１４】本発明の別実施形態に係る固体撮像素子の説明図である。
【図１５】従来の水平ＣＣＤを左右に分割した固体撮像素子の説明図である。
【図１６】図１５の固体撮像素子から読み出された左右の撮像画像の貼り合わせ境界部の説明図である。
【符号の説明】
【００４６】
２１  撮像部
２４  駆動部
２６  デジタル信号処理部
２９  システム制御部
１００  固体撮像素子
１０３  水平ＣＣＤ
１０３Ｌ  第１水平ＣＣＤ
１０３Ｒ  第２水平ＣＣＤ
１０３Ｃ  第３水平ＣＣＤ
１０４  第１出力回路（アンプ）
１０５  第２出力回路（アンプ）
【図１】
2008131245.tif 000003
【図２】
2008131245.tif 000004
【図３】
2008131245.tif 000005
【図４】
2008131245.tif 000006
【図５】
2008131245.tif 000007
【図６】
2008131245.tif 000008
【図７】
2008131245.tif 000009
【図８】
2008131245.tif 000010
【図９】
2008131245.tif 000011
【図１０】
2008131245.tif 000012
【図１１】
2008131245.tif 000013
【図１２】
2008131245.tif 000014
【図１３】
2008131245.tif 000015
【図１４】
2008131245.tif 000016
【図１５】
2008131245.tif 000017
【図１６】
2008131245.tif 000018